(57)【特許請求の範囲】
【請求項１】
外壁に囲まれた筐体内に、小口を先頭にして搬入された冊子の小口および天・地部の三方を切り揃える断裁刃を有する断裁部と前記断裁部に小口を先頭にして搬入する冊子の小口を揃える揺動する小口揃え板を具えた小口揃え装置を配置した小口揃え部とを有し、前記小口揃え部を囲む外壁を開閉自在としてなる断裁装置において、前記小口揃え部から前記断裁部へ搬送する冊子搬送路の両側の側部に上方に延びる固定枠を設置し、その固定枠に、前記搬送路の上方で該搬送路を横切るレールを固定した取付け板を固定し、前記取付け板のレールに前記小口揃え装置を摺動自在に保持してなることを特徴とする断裁装置。
【発明の詳細な説明】
【０００１】
【発明の属する技術分野】
本発明は、断裁機の内部点検や部品交換の作業を容易に行なえる構成とした断裁装置に関するものである。
【０００２】
【従来の技術】
製本工程においては、所定枚数積層した用紙の背面を揃えてから糊付けして無線綴じを行ない、更に表紙を接着して冊子を形成する場合がある。このようにして形成された冊子は、断裁機に設けた小口刃により小口を断裁して端面を切り揃え、次工程に移送される。
【０００３】
また、小口刃と共に天地刃を設けた三方断裁機により、冊子の小口と天、地の両側面を断裁して端面を切り揃えることも行なわれている。最近は、製本の処理効率を向上させるため、複数冊の冊子を断裁位置に重ねて積載して、三方断裁機で同時に小口や天、地の両側面を断裁する例が増加している。
【０００４】
これらの断裁機により冊子の小口を断裁する際には、断裁の前工程に小口揃え装置を配置し、小口揃え装置に設けた揃え板により予め冊子の小口を揃える処理がなされる。
【０００５】
図４は、従来における断裁機の小口揃え装置の配置例を示す概略の側面図である。図４において、断裁機５０は、小口刃５２、天地刃５３、プレス板５４を有している。また、天地刃５３と重なり図示されていないが、もうひとつの天地刃が設けられている。プレス板５４は、テ−ブル５５の断裁位置に配置された冊子５１を押圧して、小口刃５２、天地刃５３により冊子の小口と天地を断裁する際に冊子の移動を防止する。
【０００６】
５８は小口揃え装置で、固定部５９により断裁機５０の固定枠５０ａに固定されている。５６は複数冊積載された冊子５１の背面を揃えるための背ガイド、５７は各冊子の小口を揃えるための揃え板で、矢視Ｙａ方向に回動して小口に当接し、各冊子５１の背が背ガイド５６で揃えられるように押圧する。
【０００７】
小口が揃えられると、揃え板５７は矢視Ｙｂ方向に回動して冊子搬送の通路が開けられる。次に各冊子を図示を省略したチャックで挾み断裁位置に搬送し、前記のようにプレス板５４で各冊子を押さえ、小口刃５２、天地刃５３により所定個所の断裁処理を行なう。
【０００８】
小口揃え装置５８の背面には、カバ−６０を回動軸６１に回動自在に設けている。断裁機の点検時やプレス板５４、天地刃５３等の部品を交換する際には、カバ−６０を矢視Ｐｂ方向に移動して開放する。作業者は矢視Ｗ方向から所定の作業を行なう。作業終了後は、カバ−６０を矢視Ｐａ方向に移動して閉止する。
【０００９】
【発明が解決しようとする課題】
このように、断裁機の内部点検や部品交換の際に、小口揃え装置の背面側のカバ−を開放して所定の作業を行っている。しかしながら、小口揃え装置は固定枠５０ａに固定されており、揃え板５７’に遮られて断裁機内部の点検ができにくい上に、部品交換の作業が円滑に行なえないという問題があった。
【００１０】
本発明はこのような問題に鑑み、断裁機の内部点検や部品交換の作業を容易に行なえる断裁装置の提供を目的とする。
【００１１】
【課題を解決するための手段】
上記目的は、外壁に囲まれた筐体内に、小口を先頭にして搬入された冊子の小口および天・地部の三方を切り揃える断裁刃を有する断裁部と前記断裁部に小口を先頭にして搬入する冊子の小口を揃える揺動する小口揃え板を具えた小口揃え装置を配置した小口揃え部とを有し、前記小口揃え部を囲む外壁を開閉自在としてなる断裁装置において、前記小口揃え部から前記断裁部へ搬送する冊子搬送路の両側の側部に上方に延びる固定枠を設置し、その固定枠に、前記搬送路の上方で該搬送路を横切るレールを固定した取付け板を固定し、前記取付け板のレールに前記小口揃え装置を摺動自在に保持構成とすることにより達成される。
【００１２】
このように、本発明は、固定枠に固定した取付板に小口揃え装置を摺動自在に係合して保持し、前記小口揃え装置を小口揃え位置から移動可能としている。このため、冊子の小口を揃えるための揃え板を有する小口揃え装置を小口揃え位置から移動すると十分な空間が得られるので、内部点検や、天地刃、プレス板等の部品交換の作業を支障なく円滑に行なうことができる。
【００１３】
【発明の実施の形態】
以下、本発明の断裁装置の実施の形態について図により説明する。図３は、本発明の小口揃え装置が適用される断裁機の概略構成を示す平面図である。図３の例では三方断裁機１に小口揃え装置を設ける構成としている。
【００１４】
図３において、複数冊積載された冊子２は、搬送ベルト３により矢視Ａ方向から、三方断裁機１に搬送されてくる。４ａ、４ｂは冊子の地側側面を押圧する搬送爪、５ａ、５ｂは冊子の小口と背の面を案内するガイドである。複数冊積載された冊子２は、小口揃え装置が設置されているＣの位置で停止する。
【００１５】
前記Ｃの位置で、小口揃え装置により各冊子の小口が揃えられる。６は背ガイド、７ａ、７ｂは天側ガイド、８はサ−ボモ−タ、９はボ−ルネジ、１０はボ−ルネジ９に取り付けられているチャック、１１は揃え板である。サ−ボモ−タを駆動すると、連結機構を介してボ−ルネジ９が回動し、チャック１０が矢視Ｂ方向に進行する。
【００１６】
小口揃えの処理が終了すると、複数冊積載された冊子２はチャック１０で挾まれる。この状態でサ−ボモ−タ８を駆動しボ−ルネジ９を回動させる。この際に、各冊子２はチャック１０のＢ方向への移動に伴い、搬送ベルト３による搬送方向Ａとは直交する前記Ｂ方向に移送されて、断裁位置Ｄに配置される。
【００１７】
断裁位置Ｄにおいて、各冊子２はプレス板（図２の図示番号１５）で押圧されて移動しないように固定される。ここで、小口刃１２、天地刃１３、１４により、各冊子２の小口と、天、地の両側面が所定位置で断裁される。
【００１８】
図１は、本発明の小口揃え装置２１の概略構成を示す正面図、図２は側面図である。なお、図４で説明したように、小口揃え装置２１の背面側には、開閉自在のカバ−を設けているが図示を省略している。
【００１９】
次に、図１、図２により本発明の小口揃え装置２１について説明する。図３で説明したところと同じ部分、または対応する部分には同一の符号を付しており、詳細な説明を省略する。
【００２０】
図１において、１６、１７は断裁機に設置した固定枠である。また、取付板１８には、上下に二本のレ−ル１９、２０を固定する。このレ−ル１９、２０に小口揃え装置２１を摺動自在に係合して保持する。固定枠１６、１７には、図２に示すように支持部１６ａ、１６ｂが設けられており、取付板１８はネジ等により支持部１６ａ、１６ｂに固定する。
【００２１】
小口揃え装置２１は、図１のＣａの位置（小口揃え位置）で揃え板１１を作用させて、前記したような各冊子２の小口揃えを行なう。断裁機の内部点検や、部品交換を行なう際には、作業者は前記のように、小口揃え装置２１の背面に開閉自在に設置されているカバ−を開放し、小口揃え装置２１を、レ−ル１９、２０で摺動させて小口揃え位置から矢視Ｘ方向に移動する。すなわち、Ｃａの位置からＣｂの位置に小口揃え装置２１’、揃え板１１’が配置されることとなる。
【００２２】
取付板１８は、断裁機の内部点検や部品交換には、支障がない程度の高さに固定されている。このため、Ｃｂの位置に小口揃え装置２１’、揃え板１１’が配置されることにより、内部点検や、天地刃１３、１４、プレス板１５等の部品交換のための十分な空間が得られることになる。したがって、作業者はこれらの内部点検や部品交換を支障なく円滑に行なうことができる。
【００２３】
上記の例では、三方断裁機における小口揃え装置について説明したが、本発明の小口揃え装置は、小口のみを断裁する断裁機の小口揃え装置にも適用できる。また、小口揃え位置に複数冊の冊子を積載する例で説明したが、冊子の冊数は１冊であっても本発明の小口揃え装置を適用することができる。
【００２４】
また、上記例では、取付板１８にレ−ル１９、２０を固定し、小口揃え装置をレ−ル１９、２０に係合保持して摺動させることにより、小口揃え装置の位置を変更している。この他、本発明においては、取付板に例えばアリ溝を形成し、小口揃え装置に突起を設けて該アリ溝と係合保持して、小口揃え装置を摺動させることにより、小口揃え装置の位置を変更する構成とすることもできる。
【００２５】
【発明の効果】
以上説明したように、本発明は、固定枠に固定した取付板に前記小口揃え装置を摺動自在に係合して保持し、小口揃え装置を小口揃え位置から移動可能としている。このため、冊子の小口を揃えるための揃え板を有する小口揃え装置を小口揃え位置から移動すると、十分な空間が得られるので、内部点検や、天地刃、プレス板等の部品交換の作業を支障なく円滑に行なうことができる。
【図面の簡単な説明】
【図１】本発明の実施の形態に係る小口揃え装置の概略の正面図である。
【図２】図１の小口揃え装置の側面図である。
【図３】図１の小口揃え装置が配置される断裁機の概略の平面図である。
【図４】従来の断裁機の小口揃え装置を示す概略の側面図である。
【符号の説明】
１    三方断裁機
２    複数冊積載された冊子
６    背ガイド
１１    揃え板
１２    小口刃
１３、１４  天地刃
１５    プレス板
１６、１７  固定枠
１８    取付板
１９、２０  レ−ル
２１    小口揃え装置
【図１】
0004493156.tif 000002
【図２】
0004493156.tif 000003
【図３】
0004493156.tif 000004
【図４】
0004493156.tif 000005